(57)【要約】【課題】介護者が腸内洗浄作業を容易に行うことができ、腸内洗浄作業時にマット等を汚すおそれのない介護用ベッドを提供する。【解決手段】本発明に係る介護用ベッド１は、要介護者の臀部を支持する左右に分割可能な臀受け部８ａ，８ｂと、前記臀部より上半身部分を支持する上半身受け部９と、前記臀部より下半身部分を支持する下半身受け部１０とに分割されるマット体３と、マット体３を支持するベッド枠体２と、使用時には、左右の臀受け部８ａ，８ｂが互いに離間方向にスライドすることにより形成される開口部に上昇可能な便器２０とを備え、下半身受け部１０は、要介護者の大腿部を支持する大腿受け部１５と、要介護者の下腿部を支持する下腿受け部１６とを備え、大腿受け部１５と下腿受け部１６との境に沿ってベッド枠体２及びマット体３が分離可能に設けられていることを特徴とする。【選択図】図１
2010029343.tif 000002
【特許請求の範囲】
【請求項１】
要介護者の臀部を支持する左右に分割可能な臀受け部と、前記臀部より上半身部分を支持する上半身受け部と、前記臀部より下半身部分を支持する下半身受け部とに分割されるマット体と、
該マット体を支持するベッド枠体と、
使用時には、左右の臀受け部が互いに離間方向にスライドすることにより形成される開口部に上昇可能な便器と、
を備え、
前記下半身受け部は、前記要介護者の大腿部を支持する大腿受け部と、該要介護者の下腿部を支持する下腿受け部とを備え、前記大腿受け部と前記下腿受け部との境に沿って前記ベッド枠体及びマット体が分離可能に設けられていることを特徴とする介護用ベッド。
【請求項２】
要介護者の臀部を支持する左右に分割可能な臀受け部と、前記臀部より上半身部分を支持する上半身受け部と、前記臀部より下半身部分を支持する下半身受け部とに分割されるマット体と、
該マット体を支持し、内部に空間を有するベッド枠体と、
使用時には、左右の臀受け部が互いに離間方向にスライドすることにより形成される開口部に上昇可能な便器と、
を備え、
前記下半身受け部は、前記要介護者の大腿部を支持する大腿受け部と、該要介護者の下腿部を支持する下腿受け部とを備え、前記下腿受け部は前記マット体から切り離し可能に設けられていることを特徴とする介護用ベッド。
【請求項３】
前記大腿受け部は、左右の大腿受け部と該左右の大腿受け部の間の中央の大腿受け部とに３分割され、前記左右の大腿受け部の下側には第２の下腿受け部が設けられ、前記左右の大腿受け部が前記臀受け部側を支点に回転して前記左右の大腿受け部の前記下腿受け部側が上昇すると、前記第２の下腿受け部が前記下腿受け部側に延出すると共に、前記中央の大腿受け部が前記下腿受け部側を支点に回転して前記臀受け部側が上昇し、前記中央の大腿受け部の下方に開口が形成されるようになっている請求項１又は２に記載の介護用ベッド。
【請求項４】
ファンを有する空調機をさらに備えており、前記マット体の上半身受け部には胴受け部が設けられ、該胴受け部の中央部分には、前記空調機のファンから送風された空気を上方に向かって吹き出し可能な吹出口が設けられている請求項１〜３のいずれか１の請求項に記載の介護用ベッド。
【請求項５】
前記胴受け部は左右に傾動可能に設けられている請求項１〜４のいずれか１の請求項に記載の介護用ベッド。
【請求項６】
要介護者の胴部を支持する胴受け部と、要介護者の腕部を支持する腕受け部とが設けられた要介護者保持具を備え、該要介護者保持具を吊り上げる時に前記要介護者が前傾姿勢となるように構成されている要介護者吊り上げ移動装置が設けられている請求項１〜５のいずれか１の請求項に記載の介護用ベッド。
【発明の詳細な説明】
【技術分野】
【０００１】
本発明は、要介護者のための介護用ベッドに関し、特に、便器を備えた介護用ベッドに関するものである。
【背景技術】
【０００２】
従来、ベッドに寝た切りの身体障害者や老人等の要介護者の介護を行う際には、看護士等の介護者に多大な労力の負担を掛けている。そこで、近年、この介護者の労力負担を軽減するため、各種介護用ベッドが提案されている。
【０００３】
この種の従来の介護用ベッドとしては、例えば、ベッドに寝ている要介護者がスイッチ操作を行うことにより、使用時には要介護者の臀部に対応する位置に開口部が形成され、この開口部に便器が移動されてセットされる一方、不使用時には、その開口部をマットで閉塞させる介護用ベッドが知られている（例えば、特許文献１参照）。
【特許文献１】特開２００１−２１２１８６号公報
【発明の開示】
【発明が解決しようとする課題】
【０００４】
しかしながら、上記した従来の介護用ベッドでは、介護者が要介護者の腸内洗浄を行う際、マットの上に載って無理な姿勢を取らなければならないため、介護者が腸内洗浄作業を行い難いといった問題や、腸内洗浄作業時にマット等を汚すおそれがあるといった問題があった。
【０００５】
本発明は、上記した課題を解決すべくなされたものであり、介護者が腸内洗浄作業を容易に行うことができ、腸内洗浄作業時にマット等を汚すおそれのない介護用ベッドを提供することを目的とするものである。
【課題を解決するための手段】
【０００６】
上記した目的を達成するため、本発明に係る介護用ベッドは、要介護者の臀部を支持する左右に分割可能な臀受け部と、前記臀部より上半身部分を支持する上半身受け部と、前記臀部より下半身部分を支持する下半身受け部とに分割されるマット体と、該マット体を支持するベッド枠体と、使用時には、左右の臀受け部が互いに離間方向にスライドすることにより形成される開口部に上昇可能な便器とを備え、前記下半身受け部は、前記要介護者の大腿部を支持する大腿受け部と、該要介護者の下腿部を支持する下腿受け部とを備え、前記大腿受け部と前記下腿受け部との境に沿って前記ベッド枠体及びマット体が分離可能に設けられていることを特徴とする。
【０００７】
また、本発明に係る介護用ベッドは、要介護者の臀部を支持する左右に分割可能な臀受け部と、前記臀部より上半身部分を支持する上半身受け部と、前記臀部より下半身部分を支持する下半身受け部とに分割されるマット体と、該マット体を支持し、内部に空間を有するベッド枠体と、使用時には、左右の臀受け部が互いに離間方向にスライドすることにより形成される開口部に上昇可能な便器とを備え、前記下半身受け部は、前記要介護者の大腿部を支持する大腿受け部と、該要介護者の下腿部を支持する下腿受け部とを備え、前記下腿受け部は前記マット体から切り離し可能に設けられていることを特徴とする。
【０００８】
そして、本発明に係る介護用ベッドの前記大腿受け部は、左右の大腿受け部と該左右の大腿受け部の間の中央の大腿受け部とに３分割され、前記左右の大腿受け部の下側には第２の下腿受け部が設けられ、前記左右の大腿受け部が前記臀受け部側を支点に回転して前記左右の大腿受け部の前記下腿受け部側が上昇すると、前記第２の下腿受け部が前記下腿受け部側に延出すると共に、前記中央の大腿受け部が前記下腿受け部側を支点に回転して前記臀受け部側が上昇し、前記中央の大腿受け部の下方に開口が形成されるようになっているのが好ましい。
【０００９】
また、本発明に係る介護用ベッドは、ファンを有する空調機をさらに備えており、前記マット体の上半身受け部には胴受け部が設けられ、該胴受け部の中央部分には、前記空調機のファンから送風された空気を上方に向かって吹き出し可能な吹出口が設けられているのが好ましい。
【００１０】
さらに、本発明に係る介護用ベッドの前記胴受け部は左右に傾動可能に設けられているのが好ましい。
【００１１】
さらにまた、本発明に係る介護用ベッドは、要介護者の胴部を支持する胴受け部と、要介護者の腕部を支持する腕受け部とが設けられた要介護者保持具を備え、該要介護者保持具を吊り上げる時に前記要介護者が前傾姿勢となるように構成されている要介護者吊り上げ移動装置が設けられているのが好ましい。
【発明の効果】
【００１２】
本発明によれば、介護者が腸内洗浄作業を容易に行うことができ、腸内洗浄作業時にマット等を汚すおそれのない介護用ベッドを提供することができる。
【発明を実施するための最良の形態】
【００１３】
以下、図面を参照しつつ、本発明の実施の形態について説明する。
【００１４】
図１及び図２は本発明の実施の形態に係る介護用ベッドを示す斜視図であり、この介護用ベッド１は、ベッド枠体２と、ベッド枠体２に支持されるマット体３と、マット体３の下方に設けられる便器装置４と、ベッド枠体２に取り付けられる要介護者吊り上げ移動装置７とを備えて構成されている。
【００１５】
ベッド枠体２は、内部に空間８３を有するように金属製角パイプを外周に配設することにより形成され、頭部側にはヘッドボード８１が取り付けられている。また、ヘッド枠体２の足元側にはフットボード８２が取り付けられており、このフットボード８２はマット体３をベッド枠体２から外した状態で内側に９０度折曲可能に形成されている。
【００１６】
マット体３は、介護用ベッド１に横たわった要介護者の臀部を支持する臀受け部８と、前記臀部より上半身部分を支持する上半身受け部９と、前記臀部より下半身部分を支持する下半身受け部１０とに分割されている。
【００１７】
臀受け部８は左右に分割され、左右の臀受け部８ａ，８ｂはそれぞれ互いに近接離間方向にスライド可能に設けられ、左右の臀受け部８ａ，８ｂは、それぞれ下面側を支点に枢結された内側部分８ａ１，８ｂ１と外側部分８ａ２，８ｂ２により構成されている。
【００１８】
上半身受け部９は、介護用ベッド１に横たわった要介護者の頭部を支持する頭受け部１１と、要介護者の胴部を支持する胴受け部１２とに分割されて構成されており、頭受け部１１及び胴受け部１２は、図示しない駆動源及び伝達機構を介して、回動可能に設けられている。なお、この場合の駆動源としては、モータやアクチュエータ等の電動式或いは空圧式等の各種駆動源を使用可能であり、また、伝達機構としては、リンク機構や歯車、ベルト等を使用可能であるが、いずれも従来の公知技術により実現可能であるため、ここでは詳細な説明を省略する。
【００１９】
また、胴受け部１２の中央部分１２ａには、多数の吹出口１４が穿設されており、該吹出口１４からは空調機のファン（図示省略）から送風された空気が上方に向かって吹き出されるようになっている。また、胴受け部１２の中央部分１２ａは、その左右部分１２ｂ，１２ｃから分離可能且つ前記駆動源及び伝達機構を介して左右に傾動可能に設けられ、要介護者が左右に寝返りするのを補助できるようになっている。
【００２０】
一方、下半身受け部１０は、介護用ベッド１に横たわった要介護者の大腿部を支持する大腿受け部１５と、要介護者の下腿部を支持する下腿受け部１６と、要介護者の踵を支持する踵受け部１７とを備えて構成されている。大腿受け部１５は、左右の大腿受け部１５ａ，１５ｂと左右の大腿受け部１５ａ，１５ｂの間の中央の大腿受け部１５ｃとに３分割されている。左右の大腿受け部１５ａ，１５ｂの下側には第２の下腿受け部１６ａ，１６ｂが左右の大腿受け部１５ａ，１５ｂに枢設されており、左右の大腿受け部１５ａ，１５ｂが前記駆動源及び伝達機構を介して臀受け部８側を支点に回転して左右の大腿受け部１５ａ，１５ｂの下腿受け部１６側が上昇すると、第２の下腿受け部１６ａ，１６ｂが下腿受け部１６側に延出するように回転すると共に、中央の大腿受け部１５ｃが下腿受け部１６側を支点に回転して臀受け部８側が上昇し、中央の大腿受け部１５ｃの下方に開口８０が形成されるようになっている。
【００２１】
マット体３は、大腿受け部１５と下腿受け部１６との境に沿って分離可能に設けられている。また、ベッド枠体２は側面に取り付けられた金具７０によって大腿受け部１５と下腿受け部１６との境に沿って分離可能且つ接続可能に設けられ、２つに分離されたベッド枠体２ａ，２ｂの下部にはそれぞれ車輪７１ａ，７２ｂがベッド枠体２ａ，２ｂの内部に格納可能に取り付けられている。
【００２２】
便器装置４は、図３及び図４に良く示されているように、土台１９と、土台１９の上に固定された便器２０と、便器２０の上に設けられた便座２１とにより構成されている。
【００２３】
土台１９は、例えば油圧機構２２等の昇降機構により昇降可能に設けられ、下端に設けられた車輪２３が左右方向に伸縮可能なレール２４内を移動することにより左右方向にスライド可能となっている。
【００２４】
便器２０は、ポリエチレン製でバケツ状の便器本体２５と、便器本体２５の周壁内面に沿って挿入されるダンボール製の筒状部材２６と、便器本体２５の底部に載置されるポリエチレン製で円形皿状の便収容容器２７とから構成されている。この便収容容器２７の内部には吸水性の良い使い捨て用便処理材２８が充填されており、便収容容器２７は、１〜２回分の便を収容できる容量を備えている。
【００２５】
また、便器本体２５の下端側には横長の開口部２９が形成されており、この開口部２９は便収容容器２７の把手３２が取り付けられた側面３０により閉塞可能に形成されていると共に、便収容容器２７はこの開口部２９を介して外部に引き出し可能となっている。
【００２６】
便座２１は、ウォシュレット付きの暖房便座であり、一端部を支点に上方に回転し、起立姿勢に保持可能なように設けられている。また、便座２１は、カートリッジ製の洗浄水タンク３１を備えており、この洗浄水タンクは、１〜２回分の少量の洗浄水を収容できる容量を備えている。
【００２７】
要介護者吊り上げ移動装置７は、鉛直姿勢で下端部がベッド枠体２の角部に固定される伸縮自在の支柱４３と、支柱４３の上端部に片持ち支持され、左右側方及び上下に回転可能なアーム４４と、アーム４４の先端に取り付けられる吊り上げ具４５と、図示しない駆動装置の駆動により吊り上げ具４５を介してアーム４４に吊り上げられる要介護者保持具５０とを備えて構成されている。
【００２８】
吊り上げ具４５は、水平姿勢で設けられた連結棒４６と、連結棒４６の両端部とアーム４４との間に掛け渡された上側吊りロープ４７と、連結棒４６の両端部と要介護者保持具５０との間に掛け渡された下側吊りロープ４８とを備えて構成されている。
【００２９】
要介護者保持具５０は、要介護者の胴部を支持する胴受け部５１と、要介護者の腕部を支持する腕受け部５２と、要介護者の大腿部を支持する大腿受け部５３と、要介護者の頭部を支持する頭受け部５４とを備えている。
【００３０】
胴受け部５１は、アルミニウム製フレームを軟質ウレタンフォーム等のクッション材で覆って構成されており、胴受け部５１の前面側には把手５５が左右一対で固定されている。また、胴受け部５１の両側には、要介護者の体格に合わせて左右にスライド可能なように鉛直フレーム５６が設けられており、各鉛直フレーム５６の上端と連結棒４６の両端部との間に下側吊りロープ４８が掛け渡される。
【００３１】
鉛直フレーム５６には、胴受け部５１に支持された胴部を固定するための胴部固定用ベルト５７が設けられており、この胴部固定用ベルト５７の中央はマジックテープ（登録商標）等により着脱可能となっている。また、胴受け部５１の下端には、それぞれ止め具５８が取り付けられていると共に、鉛直フレーム５６の下端には、前方に突出するように前方転倒防止部５９が取り付けられ、前方転倒防止部５９は鉛直フレーム５６に対して上下方向にスライド可能となっている。
【００３２】
腕受け部５２は、胴受け部５１の鉛直フレーム５６の上端に略直角に一体に取り付けられ、アルミニウム製フレームを軟質ウレタンフォーム等のクッション材で覆って構成され、要介護者の両腕部を下方から支持可能となっている。また、腕受け部５１の両後端部には、それぞれ、要介護者の体格に合わせて後方にスライド可能なように肩受け部５９が立設されている。
【００３３】
大腿受け部５３は、帯状のベルト６０と、このベルト６０の両端に取り付けられたフック６１とから構成されており、このフック６１は胴受け部５１の止め具５８に係脱可能となっている。そして、フック６１を止め具５８に係止して大腿受け部５３を胴受け部５１に取り付けると、ベルト６０により要介護者の大腿部が下方から支持されるようになっている。
【００３４】
頭受け部５４は、胴受け部５１の中央部分に突設され、アルミニウム製フレームを軟質ウレタンフォーム等のクッション材で覆って構成されている。そして、頭受け部５４は、要介護者の頭部の左右の動きを拘束するようにＹ字状に形成され、上下方向にスライド可能となっている。
【００３５】
次に、主に図５及び図６を参照しつつ、上記した構成を備えた介護用ベッド１に仰向けに横たわっている要介護者の腸内洗浄を介護者が行う際の手順について説明する。
【００３６】
リモートコントローラ（図示省略）において腸内洗浄用の操作釦を選択すると、先ず、胴受け部１２が胴受け部１２の頭受け部１１側を支点に上方（図２の時計回り方向）に僅かに回転し、要介護者の腰部を静かに持ち上げる。その後、左右の臀受け部８ａ，８ｂの内側部分８ａ１，８ｂ１のみがそれぞれ外側にスライドし、内側部分８ａ１，８ｂ１と外側部分８ａ２，８ｂ２との枢結部が上昇し、左右の臀受け部８ａ，８ｂは山折り形状となる。これにより、要介護者の臀部の下方に開口部が形成され、油圧機構２２は便器２０を上昇させてこの開口部にセットし、要介護者の臀部は便座２１上に載置される。
【００３７】
その後、図５に示すように、頭受け部１１及び胴受け部１２が胴受け部１２の臀受け部８側を支点に上方（図５の反時計回り方向）に回転する。これにより、要介護者の臀部が便座２１上に載置されると共に、要介護者の臀部より上半身部分が起きた状態となる。
【００３８】
また、左右の大腿受け部１５ａ，１５ｂが前記駆動源及び伝達機構を介して臀受け部８側を支点に回転して左右の大腿受け部１５ａ，１５ｂの下腿受け部１６側が上昇し、要介護者の大腿部を持ち上げ支持する。さらに、第２の下腿受け部１６ａ，１６ｂが下腿受け部１６側に延出するように回転し、要介護者の下腿部を持ち上げ支持すると共に、中央の大腿受け部１５ｃが下腿受け部１６側を支点に回転して臀受け部８側が上昇し、中央の大腿受け部１５ｃの下方に開口８０が形成される。
【００３９】
次いで、介護者は、ベッド枠体２は側面に取り付けられた金具７０の解除操作し、大腿受け部１５と下腿受け部１６との境に沿ってベッド枠体２及びマット体３を分離させる。この分離状態において、介護者は各ベッド枠体２ａ，２ｂの間に移動し、開口８０から要介護者の腸内洗浄を行う。この時、介護者は、マットの上に載って無理な姿勢を取る必要がなく、腸内洗浄作業を容易に行うことができると共に、腸内洗浄作業時にマット等を汚すおそれもない。
【００４０】
なお、上記した実施の形態では、ベッド枠体２を分離可能に構成しているが、本発明はこの構成に限定される趣旨ではなく、例えば、図７に示すように、下腿受け部１６を、或いは下腿受け部１６及び踵受け部１７を、マット体３から切り離し可能に構成してもよい。この場合、介護者は、ベッド枠体２の内部空間８３に入り込み、踵受け部１７上に着座するか、或いはフットボード８２を内側に９０度折曲し、該フットボード８２上に着座するかして要介護者の腸内洗浄を行うことができるため、上記実施の形態の場合と同様の効果を得ることができる。
【００４１】
次に、主に図２を参照しつつ、上記した介護用ベッド１に仰向けに横たわっている要介護者が排便する際の介護用ベッド１の動作について説明する。
【００４２】
前記リモートコントローラにおいて排便用の操作釦を操作すると、以下の動作が全自動で行われる。すなわち、先ず、マット体３の大腿受け部１５の下腿受け部１６側が上昇し、要介護者の臀部より下半身部分が持ち上げられ、要介護者の下半身部分は膝を折った状態となる。
【００４３】
次いで、胴受け部１２が上方（図２の時計回り方向）に僅かに回転し、要介護者の腰部を静かに持ち上げ、要介護者の臀部を臀受け部８から僅かに浮かせた状態にする。その後、左右の臀受け部８ａ，８ｂの内側部分８ａ１，８ｂ１のみがそれぞれ外側にスライドし、内側部分８ａ１，８ｂ１と外側部分８ａ２，８ｂ２との枢結部が上昇し、山折り形状を成し、要介護者の臀部の下方に開口部を形成する。
【００４４】
次いで、油圧機構２２により便器２０が上昇され、便器２０はこの開口部に移動してセットされる。その後、胴受け部１２が下方（図２の反時計回り方向）に回転すると共に頭部１１が起立方向（図２の反時計回り方向）に回転する。これにより、要介護者の臀部が便座２１上に載置されると共に、要介護者の臀部より上半身部分が起きた状態となり、要介護者は排便時に力が入り易い姿勢を取ることができる。
【００４５】
このように要介護者が排便姿勢を取って排便を終了後、リモートコントローラ（図示省略）の終了ボタンを押圧すると、上記した動作とは反対の動作が全自動で行なわれ、介護用ベッド１は、要介護者が仰向けに横たわれる通常時の状態に戻される。
【００４６】
そして、要介護者の排便後、介護者が排便を処理するには、先ず、左右いずれか一方に伸長させたレール２４に沿って便器装置４をスライドさせ、マット体３の外側に引き出す。次いで、このように便器装置４をマット体３の外側に引き出した状態で、把手３１を引いて便収容容器２７を便器２０から引き出し、便収容容器２７内の使用済みの使い捨て用便処理材２８を廃棄し、新しい使い捨て用便処理材２８と交換する。また、一端部を支点に便座２１を上方に回転させて起立姿勢にした状態で、筒状部材２６を上方に引き出し、廃棄し、新しい筒状部材と交換後、便座２１を下方に回転させて元の状態に戻す。そして、このように便を処理し、使い捨て用処理材２８及び筒状部材２６を新しいものと交換した後、便器装置４をレール２４に沿ってマット体３の下方の所定位置にセットする。
【図面の簡単な説明】
【００４７】
【図１】本発明の実施の形態に係る介護用ベッドを示す斜視図である。
【図２】本発明の実施の形態に係る介護用ベッドを示す斜視図である。
【図３】本発明の実施の形態に係る介護用ベッドの便器装置を示す側面図である。
【図４】図３のＡ−Ａ断面図である。
【図５】本発明の実施の形態に係る介護用ベッドを分離させた状態を示す斜視図である。
【図６】本発明の実施の形態に係る介護用ベッドの大腿受け部の動作を示す側面図である。
【図７】本発明の実施の形態に係る介護用ベッドの別の実施例を示す斜視図である。
【符号の説明】
【００４８】
１          介護用ベッド
３          マット体
７          要介護者吊り下げ移動装置
８          臀受け部
８ａ        左臀受け部
８ｂ        右臀受け部
９          上半身受け部分
１０        下半身受け部分
１２        胴受け部
１２ａ      中央部分
１４        吹出口
１５        大腿受け部
２０        便器
５０        要介護者保持具
５１        胴受け部
５２        腕受け部
８０        開口
【図１】
2010029343.tif 000003
【図２】
2010029343.tif 000004
【図３】
2010029343.tif 000005
【図４】
2010029343.tif 000006
【図５】
2010029343.tif 000007
【図６】
2010029343.tif 000008
【図７】
2010029343.tif 000009